(57)【要約】【課題】    ボルト類の使用を半減させて、架設台を構成する傾斜取付部材又は横方向取付部材に対してソーラーパネルを大きな強度で取付けることである。【解決手段】  架設台Ｖの傾斜取付部材９２におけるソーラーパネルＰのボルト孔２３に対応する部分にクランプされるクランプ具Ｃと、前記クランプ具Ｃの上部に連結されるソーラーパネル取付け具Ｅとを備え、前記ソーラーパネルＰの斜上端側のフランジ板部２１は、前記傾斜取付部材９２にクランプ具Ｃを介して斜上下方向に隣接して連結された斜上端側のソーラーパネル取付け具Ｅの挿入係止溝３２に挿入係止され、当該ソーラーパネルＰの斜下端側のフランジ板部２１は、前記ボルト孔２３に挿通されたボルト４３を介して斜下端側のソーラーパネル取付け具Ｅに固定される構成とする。【選択図】  図５
2016156236.tif 000002
【特許請求の範囲】
【請求項１】
架設台を構成していて、ソーラーパネルの傾斜配置方向と直交する水平方向に沿って所定間隔をおいて、当該傾斜方向に配置された単管状の傾斜取付部材に対して、複数枚の方形盤状のソーラーパネルを傾斜方向に沿って取付けるための装置であって、
前記ソーラーパネルの裏面側の周縁部には、フランジ板部が内方に向けて設けられ、傾斜配置された状態で水平方向に配置される各フランジ板部には、ボルト孔が形成され、
前記傾斜取付部材における前記ソーラーパネルのボルト孔に対応する部分にクランプされるクランプ具と、
前記クランプ具の上部に連結されて、前記傾斜方向に沿って隣接する２枚のソーラーパネルのうち斜上方のソーラーパネルの斜下端側のフランジ板部のボルト孔を用いてボルト固定すると共に、斜下方のソーラーパネルの斜上端側のフランジ板部を挿入係止させるための挿入係止部を有するソーラーパネル取付け具と、
を備え、
前記ソーラーパネルの斜上端側のフランジ板部は、前記傾斜取付部材にクランプ具を介して斜上下方向に隣接して連結された斜上端側のソーラーパネル取付け具の挿入係止部に挿入係止され、当該ソーラーパネルの斜下端側のフランジ板部は、前記ボルト孔に挿通されたボルトを介して斜下端側のソーラーパネル取付け具に固定されていることを特徴とするソーラーパネル取付装置。
【請求項２】
架設台を構成していて、ソーラーパネルの傾斜配置方向に沿って所定間隔をおいて横方向に配置される横方向取付部材に対して、複数枚の方形盤状のソーラーパネルを傾斜方向に沿って取付けるための装置であって、
前記ソーラーパネルの裏面側の周縁部には、フランジ板部が内方に向けて設けられ、傾斜配置された状態で水平方向に配置される各フランジ板部には、ボルト孔が形成され、
前記横方向取付部材における前記ソーラーパネルのボルト孔に対応する部分にクランプされるクランプ具と、
前記クランプ具の上部に連結されて、前記傾斜方向に沿って隣接する２枚のソーラーパネルのうち斜上方のソーラーパネルの斜下端側のフランジ板部のボルト孔を用いてボルト固定すると共に、斜下方のソーラーパネルの斜上端側のフランジ板部を挿入係止させるための挿入係止部を有するソーラーパネル取付け具と、
を備え、
前記ソーラーパネルの斜上端側のフランジ板部は、前記横方向取付部材にクランプ具を介して斜上下方向に隣接して連結された斜上端側のソーラーパネル取付け具の挿入係止部に挿入係止され、当該ソーラーパネルの斜下端側のフランジ板部は、前記ボルト孔に挿通されたボルトを介して斜下端側のソーラーパネル取付け具に固定されていることを特徴とするソーラーパネル取付装置。
【請求項３】
前記ソーラーパネル取付け具は、前記クランプ具の上部に水平軸心を中心にして回動可能に連結されていることを特徴とする請求項１又は２に記載のソーラーパネル取付装置。
【請求項４】
前記ソーラーパネル取付け具の挿入係止部は、段差状に形成されて、ソーラーパネルの板厚の異なるフランジ板部の挿入係止が可能であることを特徴とする請求項１ないし３のいずれかに記載のソーラーパネル取付装置。
【請求項５】
前記ソーラーパネル取付け具とソーラーパネルのフランジ板部をボルト固定している部分と、地面との間が電気的に導通されて、アース構造になっていることを特徴とする請求項１ないし４のいずれかに記載のソーラーパネル取付装置。
【請求項６】
前記ソーラーパネル取付け具とソーラーパネルのフランジ板部をボルト固定している部分と、前記クランプ具又は当該クランプ具と前記ソーラーパネル取付け具とを連結するスライド許容体の部分とは、アース線で接続されていることを特徴とする請求項５に記載のソーラーパネル取付装置。
【発明の詳細な説明】
【技術分野】
【０００１】
本発明は、ボルト類の使用を半減させて、架設台を構成する傾斜取付部材又は横方向取付部材に対してソーラーパネルを大きな強度で取付可能なソーラーパネル取付装置に関するものである。
【背景技術】
【０００２】
ソーラーパネル取付装置は、傾斜方向、及び当該傾斜方向と直交する水平方向である横方向との双方に沿って、複数枚のソーラーパネルを連続配置して、架設台に対して支持する構成である。架設台は、ソーラーパネルの傾斜方向、或いは前記横方向に配置される傾斜取付部材、水平支持部材及び地上に垂直に立設される支柱部材を組み付けてなるものであり、当該架設台の上部において、複数枚のソーラーパネルが支持される（特許文献１）。
【０００３】
しかし、特許文献１を含めて、他の先行技術においても、架設台の取付部にソーラーパネルを取付けるには、傾斜方向に沿った両端部をボルト類を使用して、しっかりと固定する構造であるため、ボルト類の総使用数が多くなると共に、工期も長くなるという問題もある。
【０００４】
一方、特許文献２に開示のソーラーパネル取付装置は、ボルト類を一切使用しないで、ソーラーパネルを架設台の水平支持部材に取付けられる大きな利点がある。しかし、ソーラーパネルに設けられたクリッピングポイント（ソーラーパネルをボルト類を介して傾斜取付部材に固定するために、当該ソーラーパネルのボルト孔が設けられているポイント）において、取付けたいという要望がある。また、傾斜角度の大きな土地、或いは多雪地域において、架設台にソーラーパネルを取付ける場合には、当該架設台に対してソーラーパネルを強固に固定する必要がある。
【先行技術文献】
【特許文献】
【０００５】
【特許文献１】特開２００７−２２４５３８号公報
【特許文献２】特許第５３９５３０４号公報
【発明の概要】
【発明が解決しようとする課題】
【０００６】
本発明は、ボルト類の使用を半減させて、架設台を構成する傾斜取付部材又は横方向取付部材に対してソーラーパネルを大きな強度で取付けることを課題としている。
【課題を解決するための手段】
【０００７】
上記課題を解決するための請求項１の発明は、架設台を構成していて、ソーラーパネルの傾斜配置方向と直交する水平方向に沿って所定間隔をおいて、当該傾斜方向に配置された単管状の傾斜取付部材に対して、複数枚の方形盤状のソーラーパネルを傾斜方向に沿って取付けるための装置であって、前記ソーラーパネルの裏面側の周縁部には、フランジ板部が内方に向けて設けられ、傾斜配置された状態で水平方向に配置される各フランジ板部には、ボルト孔が形成され、前記傾斜取付部材における前記ソーラーパネルのボルト孔に対応する部分にクランプされるクランプ具と、前記クランプ具の上部に連結されて、前記傾斜方向に沿って隣接する２枚のソーラーパネルのうち斜上方のソーラーパネルの斜下端側のフランジ板部のボルト孔を用いてボルト固定すると共に、斜下方のソーラーパネルの斜上端側のフランジ板部を挿入係止させるための挿入係止部を有するソーラーパネル取付け具とを備え、前記ソーラーパネルの斜上端側のフランジ板部は、前記傾斜取付部材にクランプ具を介して斜上下方向に隣接して連結された斜上端側のソーラーパネル取付け具の挿入係止部に挿入係止され、当該ソーラーパネルの斜下端側のフランジ板部は、前記ボルト孔に挿通されたボルトを介して斜下端側のソーラーパネル取付け具に固定されていることを特徴としている。
【０００８】
請求項１の発明によれば、方形状のソーラーパネルは、水平方向に沿って隣接する複数本の傾斜取付部材に対して、当該傾斜取付部材の傾斜方向に沿って所定間隔をおいてクランプされる複数のクランプ具、及び当該クランプ具の上部に連結される前記クランプ具と同数のソーラーパネル取付け具を介して取付けられる。即ち、ソーラーパネルの斜上端部は、そのフランジ板部がソーラーパネル取付け具に、斜下方へのずれ落ちを防止された状態で、挿入係止されると共に、斜下端部は、そのフランジ板部に設けられたボルト孔を利用して、別のソーラーパネル取付け具にボルト固定される。
【０００９】
このように、ソーラーパネルの斜上端部は、当該部分に設けられたフランジ板部がソーラーパネル取付け具に、斜下方にずれ落ちることなく挿入係止されると共に、当該ソーラーパネルの斜下端部は、当該部分のフランジ板部に設けられたボルト孔を利用して、別のソーラーパネル取付け具にボルト固定されることで、１枚のソーラーパネルは、水平方向に沿って隣接する複数本の傾斜取付部材に複数のクランプ具及び同数のソーラーパネル取付け具を介して取付けられる。即ち、ソーラーパネルの斜上方側のフランジ板部の挿入係止構造と、斜下方側のフランジ板部のボルト固定構造との併用により、全ての部分をボルト類を用いて固定する構造に比較して、ボルト類の使用数を半減させて、ソーラーパネルに予め設けられているクリッピングポイント（ボルト孔が設けられている部分）において、ソーラーパネルを複数本の傾斜取付部材に対して下方にずれることなく、傾斜角度の大きな設置場所、或いは多雪地域においても、大きな取付強度でもってしっかりと固定できる。
【００１０】
請求項２の発明は、架設台を構成していて、ソーラーパネルの傾斜配置方向に沿って所定間隔をおいて横方向に配置される横方向取付部材に対して、複数枚の方形盤状のソーラーパネルを傾斜方向に沿って取付けるための装置であって、前記ソーラーパネルの裏面側の周縁部には、フランジ板部が内方に向けて設けられ、傾斜配置された状態で水平方向に配置される各フランジ板部には、ボルト孔が形成され、前記横方向取付部材における前記ソーラーパネルのボルト孔に対応する部分にクランプされるクランプ具と、前記クランプ具の上部に連結されて、前記傾斜方向に沿って隣接する２枚のソーラーパネルのうち斜上方のソーラーパネルの斜下端側のフランジ板部のボルト孔を用いてボルト固定すると共に、斜下方のソーラーパネルの斜上端側のフランジ板部を挿入係止させるための挿入係止部を有するソーラーパネル取付け具とを備え、前記ソーラーパネルの斜上端側のフランジ板部は、前記横方向取付部材にクランプ具を介して斜上下方向に隣接して連結された斜上端側のソーラーパネル取付け具の挿入係止部に挿入係止され、当該ソーラーパネルの斜下端側のフランジ板部は、前記ボルト孔に挿通されたボルトを介して斜下端側のソーラーパネル取付け具に固定されていることを特徴としている。
【００１１】
請求項１の発明は、架設台を構成する傾斜取付部材に対してソーラーパネルを、そのクリッピングポイントにおいてボルト固定するのに対して、請求項２の発明は、架設台を構成する横方向取付部材に対してソーラーパネルを、そのクリッピングポイントにおいてボルト固定する点において異なるが、総使用ボルト数を半減させて、架設台に対してソーラーパネルを大きな強度でしっかりと取付けられる作用効果は、請求項１の発明と同様である。
【００１２】
請求項３の発明は、請求項１又は２の発明において、前記ソーラーパネル取付け具は、前記クランプ具の上部に水平軸心を中心にして回動可能に連結されていることを特徴としている。
【００１３】
請求項３の発明は、ソーラーパネル取付け具は、クランプ具の上部に水平軸心を中心にして回動可能に連結されているために、複数本の傾斜取付部材に対してソーラーパネルを取付ける際に、ソーラーパネルの斜上端側のフランジ板部をソーラーパネル取付け具に挿入係止させた後に、当該ソーラーパネルの斜下端側のフランジ板部のボルト孔に挿通されたボルトを介して、当該ソーラーパネルの斜下端部のフランジ板部を、別のソーラーパネル取付け具にボルト固定し、この状態で、クランプ具に対してボルト固定に係るソーラーパネル取付け具をクランプ具に回動力を加えて、当該ソーラーパネルに傾斜方向に沿った張力が加わることで、当該ソーラーパネルを複数の傾斜取付部材にしっかりと固定できる。
【００１４】
請求項４の発明は、請求項１ないし３のいずれかに記載の発明において、前記ソーラーパネル取付け具の挿入係止部は、段差状に形成されて、ソーラーパネルの板厚の異なるフランジ板部の挿入係止が可能であることを特徴としている。
【００１５】
請求項４の発明によれば、一種類のソーラーパネル取付け具によって、フランジ板部の板厚の異なる複数種類のソーラーパネルに対して対応可能となる。
【００１６】
請求項５の発明は、請求項１ないし４のいずれかの発明において、前記ソーラーパネル取付け具とソーラーパネルのフランジ板部をボルト固定している部分と、地面との間が電気的に導通されて、アース構造になっていることを特徴としている。
【００１７】
請求項５の発明によれば、架設台の傾斜取付部材に対してソーラーパネルを取付けるソーラーパネル取付装置を構成する各部材が互いに導通している場合には、アース線を用いることなく、ソーラーパネルのフランジ板部をソーラーパネル取付け具の挿入係止部に挿入係止する構造のみで、ソーラーパネルの発電セルの部分と地面との間の電位差をなくすことができて、ソーラーパネルの軽微な感電を防止できる。
【００１８】
請求項６の発明は、請求項５の発明において、前記ソーラーパネル取付け具とソーラーパネルのフランジ板部をボルト固定している部分と、前記クランプ具又は当該クランプ具と前記ソーラーパネル取付け具とを連結しているスライド許容体の部分とは、アース線で接続されていることを特徴としている。
【００１９】
請求項６の発明によれば、架設台の傾斜取付部材に対してソーラーパネルを取付けるソーラーパネル取付装置を構成するソーラーパネル取付け具、スライド許容体、及びクランプ具の３部材の間で空間部が生ずる等して、非導通の場合においても、ソーラーパネル取付け具とソーラーパネルのフランジ板部をボルト固定している部分と、クランプ具又は前記スライド許容体の部分との間のみをアース線で接続することで、ソーラーパネルのアースが可能となる。
【発明の効果】
【００２０】
本発明によれば、ソーラーパネルの斜上方側のフランジ板部の挿入係止構造と、斜下方側のフランジ板部のボルト固定構造との併用により、全ての部分をボルト類を用いて固定する構造に比較して、ボルト類の使用数を半減させて、ソーラーパネルに予め設けられているクリッピングポイント（ボルト孔が設けられている部分）において、ソーラーパネルを複数本の傾斜取付部材又は横方向取付部材に対して、大きな取付強度でもってしっかりと固定できる。
【図面の簡単な説明】
【００２１】
【図１】本発明に係るソーラーパネル取付装置Ａによって架設台Ｖに多数のソーラーパネルＰが縦横に取付けられたソーラーパネル装置の斜視図である。
【図２】ソーラーパネル装置の右上のコーナー部を斜下方から見た斜視図である。
【図３】ソーラーパネル装置をソーラーパネルＰの傾斜した裏面に対して垂直な方向（斜下方）から見た底面図である。
【図４】ソーラーパネル装置の側面図である。
【図５】傾斜取付部材９２にクランプ具Ｃ及びソーラーパネル取付け具Ｅによって、傾斜方向に沿って隣接する２枚のソーラーパネルＰの対向する各端部が取付けられる構造の部分斜視図である。
【図６】（ａ）は、ソーラーパネルＰの底面図であり、（ｂ），（ｃ）は、それぞれ（ａ）のＸ1 −Ｘ1 線及びＸ2 −Ｘ2 線の拡大断面図である。
【図７】ソーラーパネル取付装置Ａの斜視図である。
【図８】ソーラーパネル取付装置Ａの分解斜視図である。
【図９】ソーラーパネルＰの斜下端側に配置されるフランジ板部２１にソーラーパネル取付け具Ｅがボルト固定された状態の部分拡大側面図である。
【図１０】（ａ），（ｂ）は、傾斜取付部材９２の最も高い部分に固定されたソーラーパネルＰの斜下端側を取付ける前後の側面図である。
【図１１】最も高い部分を除く部分に配置されるソーラーパネルＰを傾斜取付部材９２に取付ける前の状態の側面図である。
【図１２】同じく取付けた後の状態の側面図である。
【図１３】挿入係止溝３２’が段差状となったソーラーパネル取付け具Ｅを使用した状態のソーラーパネル取付装置Ａの部分の拡大断面図である。
【図１４】ソーラーパネル取付装置Ａのアース構造を示す一部を破断した側面図である。
【図１５】（ａ），（ｂ）は、喰込み構造の座金３９’を使用したソーラーパネル取付装置Ａのアース構造を示す斜視図、及び正面図である。
【図１６】同じく使用状態の部分拡大側面図である。
【図１７】（ａ），（ｂ）は、それぞれアース線５１の斜視図、及び当該アース線５１を使用したソーラーパネル取付装置Ａのアース構造の側面図である。
【図１８】（ａ），（ｂ）は、それぞれアース線５１を用いた別のソーラーパネル取付装置Ａのアース構造の側面図である。
【図１９】建物の屋上に設置されたソーラーパネル装置の側面図である。
【発明を実施するための形態】
【００２２】
以下、実施例を挙げて、本発明について更に詳細に説明する。最初に、図１ないし図５を参照にして、多数枚のソーラーパネルＰを取付けて支持するための架設台Ｖの構造について簡単に説明する。なお、以下の説明において、「ソーラーパネル装置」とは、架設台Ｖに多数枚のソーラーパネルＰが傾斜方向Ｑ及び横方向（傾斜方向と直交する水平方向）Ｒの双方に沿って取付けられた状態のものを示す。図示の１セットのソーラーパネル装置は、傾斜方向Ｑ及び当該傾斜方向Ｑと直交する水平方向である横方向Ｒに沿って、それぞれ４枚，４枚のソーラーパネルＰが配置された構造であるが、２方向の配置枚数は、設置場所の状況により適宜定められる。架設台Ｖは、いずれも単管から成る長さ（高さ）の異なる複数本の支柱部材９１ａ，９１ｂと、傾斜方向Ｑに沿って配置されて、ソーラーパネルＰを取付ける複数本の傾斜取付部材９２と、各傾斜取付部材９２の下側において横方向に配置される横方向取付部材９３と、支柱部材９１ａ，９１ｂの下端部を前後方向及び横方向の双方に沿って連結する水平補強部材９４ａ，９４ｂの４種類の各部材を結合クランプ具９５を介して一体に架設したものである。結合クランプ具９５は、互いに直交する２本の単管を連結するのに使用されるクランプ具であって、２個の各クランプ具が一体化された構造である。傾斜取付部材９２は、ソーラーパネルＰの傾斜方向Ｑに沿った両端部に近い部分に、地面Ｇに対して垂直に立設されている。なお、図１及び図４において、９６ａ，９６ｂは、前後の各水平補強部材９４ａと、中央の２本の横方向取付部材９３とを斜方向に沿って連結する斜補強部材を示し、９７は、水平補強部材９４ｂの両端部を支持するための短支柱部材を示す。
【００２３】
傾斜取付部材９２は、ソーラーパネルＰの短手方向の寸法の約整数倍（実施例では約４倍）の長さを有している（正確には、ソーラーパネルＰの短手方向の寸法の整数倍よりも僅かに長い長さを有している）。各ソーラーパネルＰは、隣接する２本の傾斜取付部材９２における横方向取付部材９３と干渉しない部分、具体的には、２本の傾斜取付部材９２における隣接する２本の横方向取付部材９３の中央部、並びに当該傾斜取付部材９２の斜両端部との計５箇所において、計４枚のソーラーパネルＰを前記各傾斜取付部材９２にクランプ具Ｃ及びソーラーパネル取付け具Ｅを介して固定状態で取付けている。
【００２４】
次に、ソーラーパネル取付装置Ａは、単管からなる傾斜取付部材９２にクランプされるクランプ具Ｃと、当該クランプ具Ｃの上面側に、当該クランプ具Ｃを傾斜取付部材９２にクランプした状態で、前記横方向Ｒに沿った軸心を中心にして回動可能なソーラーパネル取付け具Ｅと、当該ソーラーパネル取付け具Ｅと前記クランプ具Ｃとを連結するスライド許容体３５とから成る。ここで、ソーラーパネル取付装置Ａとは、クランプ具Ｃの上面側にスライド許容体３５を介してソーラーパネル取付け具Ｅが連結された状態の部材を「取付装置単体」と称した場合において、計４つの「取付装置単体」が構成される。図面においては、符号記入の冗長性及び複雑性の回避のために、「取付装置単体」に相当する部分に符号「Ａ」を付してある。
【００２５】
図７及び図８に示されるように、クランプ具Ｃは、単管からなる傾斜取付部材９２を外側から挟持可能な一対の分割体１１，１２から成り、各分割体１１，１２は、その基端部が連結ピン１３を介して回動可能に連結されることで、当該連結部と反対側に傾斜取付部材９２を挿入可能な開口１４が形成され、一方の分割体１１の開口側の端部に連結ピン１５を介して回動可能に連結された連結ボルト１６は、他方の分割体１２の開口側に形成されたボルト挿通孔１２ａを通して挿通されて、ナット１７で固定することで、傾斜取付部材９２に対してクランプ具Ｃが挟持状態でクランプされる。
【００２６】
そして、図７及び図８に示されるように、クランプ具Ｃの一対の分割体１１，１２の開口１４を大きく開いた状態で、当該開口１４から、傾斜取付部材９２を構成する単管をクランプ具Ｃの内部に相対的に挿入させ、その後に、連結ボルト１６を分割体１２のボルト挿通孔１２ａの部分に挿入させ、この状態で、当該連結ボルト１６に対してナット１７を螺合させて締め上げると、前記単管に対してクランプ具Ｃが強固にクランプされた状態となる。
【００２７】
ソーラーパネルＰは、図２及び図６に示されるように、方形盤状をなしていて、裏面（底面）側の周縁部には、内側に向けてフランジ板部２１，２２が一体に設けられ、長手方向に沿った各フランジ板部２１の両端に近い部分には、ボルト孔２３が形成されている。図示のソーラーパネルＰでは、所定間隔をおいた２つのボルト孔２３が一組となって形成されている。ソーラーパネルＰにおけるボルト孔２３の部分は、当該ソーラーパネルＰを傾斜取付部材９２に固定するためのクリッピングポイントとなっている。なお、図６において、２４は、発電セルを示す。
【００２８】
ソーラーパネル取付け具Ｅは、図７及び図８に示されるように、平板状の基板部３１における配置状態で斜下方側となる部分に、ソーラーパネルＰのフランジ板部２１を挿入係止させるための挿入係止溝３２が形成され、前記基板部３１における前記挿入係止溝３２と反対側の端部には、ボルト孔３３が形成され、更に、基板部３１の下面には、後述のスライド許容体３５の断面円形状の嵌合部３８を挿入嵌合させるための被嵌合部３４が形成された構成である。前記挿入係止溝３２は、基板部３１の一端部に断面コの字形となるように挿入係止溝形成板部３０を設けることで形成される。スライド許容体３５は、クランプ具Ｃとソーラーパネル取付け具Ｅとを連結した状態で、両者の横方向Ｒに沿った微動のみを許容するものであって、あり溝３６が形成された許容体本体３７の上面に、ソーラーパネル取付け具Ｅの被嵌合部３４に嵌合される嵌合部３８が一体に形成された構成である。ソーラーパネル取付け具Ｅの被嵌合部３４に、スライド許容体３５の嵌合部３８が嵌合された状態で、ソーラーパネル取付け具Ｅの被嵌合部３４の両端面には、座金３９が偏芯状態で配置されて、当該座金３９を貫通するビス４１がスライド許容体３５の嵌合部３８に螺合されることで、ソーラーパネル取付け具Ｅは、配置状態で横方向Ｒに微動しない状態で、スライド許容体３５に対して回動可能に連結される。なお、図８及び図９において、４３，４４は、ソーラーパネル取付け具Ｅのボルト孔３３を用いて、ソーラーパネルＰの傾斜方向の斜下端側のフランジ板部２１を当該ソーラーパネル取付け具Ｅに固定するためのボルト及びナットを示す。
【００２９】
また、クランプ具Ｃの連結ボルト１６が連結された側の分割体１１の平面部１１ａには、連結ボルト４２が螺合されて、その頭部４２ａが前記平面部１１ａとの間に所定の隙間を有して配置されている。この結果、クランプ具Ｃの前記連結ボルト４２の頭部４２ａをスライド許容体３５のあり溝３６に挿入係止させると、ソーラーパネル取付け具Ｅは、傾斜取付部材９２にクランプされたクランプ具Ｃに対して横方向Ｒに沿ってのみ微動可能な状態で回動可能に連結される。
【００３０】
次に、図１０ないし図１３を参照して、上記したクランプ具Ｃ及びソーラーパネル取付け具Ｅを用いて、架設台Ｖの傾斜取付部材９２にソーラーパネルＰを取付ける順序を説明する。架設台Ｖに多数のソーラーパネルＰを取付けるには、隣接する２本の傾斜取付部材９２に対して、斜上端側から斜下端側に向けて、順次取付ける。なお、クランプ具Ｃとソーラーパネル取付け具Ｅとは、互いに連結されている。
【００３１】
図１０に示されるように、取付け前のソーラーパネルＰの斜下端側のフランジ板部２１には、当該フランジ板部２１、及びソーラーパネル取付け具Ｅにそれぞれ設けられたボルト孔２３，３３に挿通されたボルト４３及びナット４４を用いて、当該ソーラーパネル取付け具Ｅを固定しておく。なお、図１０において、４５は、自動的にボルト締めを行うための電動工具を示す。
【００３２】
図１１に示されるように、傾斜取付部材９２の最も高い側の端部には、クランプ具Ｃをクランプしておいて、ソーラーパネルＰの斜上端側のフランジ板部２１を、前記クランプ具Ｃに連結されたソーラーパネル取付け具Ｅの挿入係止溝３２に挿入係止させる。図１１（ａ）に示されるように、傾斜取付部材９２にクランプされたクランプ具Ｃに対してソーラーパネル取付け具Ｅは、回動可能に連結されているために、ソーラーパネルＰは、当該傾斜取付部材９２に対して傾斜配置させることが可能であるため、この状態で、ソーラーパネルＰの斜上端側に配置されるフランジ板部２１を、ソーラーパネル取付け具Ｅの挿入係止溝３２に挿入係止させる。その後に、図１１（ｂ）に示されるように、ソーラーパネルＰの斜上端側の部分を回動支点として、ソーラーパネルＰを回動させることで、当該ソーラーパネルＰを傾斜取付部材９２に対して平行に配置させ、この状態で、ソーラーパネルＰの斜下端側のクランプ具Ｃを、当該傾斜取付部材９２にクランプすると、隣接する２本の傾斜取付部材９２に対して１枚のソーラーパネルＰが取付けられる。
【００３３】
次に、隣接する２本の傾斜取付部材９２に、傾斜方向に沿って高い側から２番目のソーラーパネルＰを取付けるには、図１２及び図１３に示されるように、当該ソーラーパネルＰの斜上端側のフランジ板部２１を、既に取付けられているソーラーパネルＰとの斜下端面と、ソーラーパネル取付け具Ｅの挿入係止溝形成板部３０との間に挿入した後に、当該ソーラーパネルＰを傾斜方向に沿って斜下方に僅かにスライドさせることで、ソーラーパネル取付け具Ｅの挿入係止溝３２に前記フランジ板部２１を挿入係止させる。その後に、当該ソーラーパネルＰの斜下端部に予め連結されているクランプ具Ｃを傾斜取付部材９２に対してクランプさせると、傾斜方向の高い側から起算して２番目のソーラーパネルＰが相隣接する２本の傾斜取付部材９２に取付けられる。以後、同様にして、更に、斜下方に配置されるソーラーパネルを相隣接する２本の傾斜取付部材９２に取付ける。
【００３４】
また、ソーラーパネルＰのフランジ板部２１，２２の板厚は、機種によって異なることがあり、これに対応して、図１３に示されるように、ソーラーパネル取付け具Ｅの挿入係止溝３２’を段差状に形成すると、板厚の異なるフランジ板部２１，２２を有するソーラーパネルＰに対応可能となる。図示の挿入係止溝３２’は、３種類の板厚に対応可能となっていて、２１’は、フランジ板部２１より板厚の厚いフランジ板部を示す。
【００３５】
本発明に係るソーラーパネル取付装置Ａを使用して、架設台Ｖを構成する傾斜取付部材９２に対してソーラーパネルＰを取付けると、クリッピングポイントにおいて、ソーラーパネルＰの斜下端側を傾斜取付部材９２に対して大きな強度でしっかりと固定できる。このため、傾斜角度の大きな設置場所において、ソーラーパネルＰの傾斜角度（θ）〔図４参照〕が大きくなっても、当該ソーラーパネルＰをしっかり固定できる。また、ソーラーパネルＰの斜上端側は、ソーラーパネル取付け具Ｅの挿入係止溝３２にフランジ板部２１を挿入係止させることで、隣接する２本の傾斜取付部材９２に対してソーラーパネルＰを計４箇所において取付けているので、全てをボルト固定する構造に比較して、ボルト４３の総使用数は、半減させられる。このため、１枚のソーラーパネルの取付けに要する時間を短くできて、工期を短くできる。
【００３６】
また、ソーラーパネル取付装置Ａを構成するソーラーパネル取付け具Ｅ、スライド許容体３５及びクランプ具Ｃは、いずれも金属製であって、ソーラーパネルＰのフランジ板部２１とソーラーパネル取付け具Ｅの基板部３１とは、ボルト連結されていると共に、上記した３つの部材Ｅ，３５，Ｃは、いずれも接触しているため、図１４に示されるように、ソーラーパネルＰから漏れた電流は、ソーラーパネル取付装置Ａの部分を、図１４で破線で示されるように流れることで、金属製の単管を組んで形成された架設台Ｖを通してアースされるため、即ち、特別のアース配線を行うことなく、構造自体によりアースされるため、感電事故を防止できる。
【００３７】
また、図１５及び図１６に示されるように、内周面に多数の微少突起が半径方向に設けられた座金３９’を用いると、当該座金３９’の微少突起がスライド許容体３５の嵌合部３８の端面、及び当該端面に接続するソーラーパネル取付け具Ｅの被嵌合部３４の端面に喰い込んで（図１６において、座金３９’の喰い込んだ部分が符号４７で示されている）、両端面が座金３９’を介して電気的に接続された状態となるため、前記嵌合部３８と被嵌合部３４とが非接触の場合であっても、ソーラーパネルＰのアースが可能となる。なお、図１６において、４８は、連結ボルト４２に螺合されたナットを示す。
【００３８】
また、図１７及び図１８には、ソーラーパネルＰのアースに際して、ソーラーパネル取付装置Ａの非接触となる恐れがある部分を電気的に接続させるために、アース線５１を使用する方法が示されている。図１７には、配置状態で傾斜方向Ｑに沿った両端部にいずれも挿入係止溝３２が設けられたソーラーパネル取付け具Ｅ’が示されており、ソーラーパネルＰの斜下端側のフランジ板部２１は、基板部３１の斜上端側に形成された挿入係止溝３２に挿入係止された状態で、前記基板部３１の裏面側から螺入されたビス５２により、上方に押し上げられることで、ソーラーパネルＰの斜下端側は、ソーラーパネル取付け具Ｅ’に固定状態で取付けられている。このため、図１７（ｂ）に示されるように、アース線５１の両端部の一方の端子５１ａを前記ビス５２の頭部５２ａの内側と前記基板部３１の裏面との間に挿入すると共に、スライド許容体３５の許容体本体３７の裏面とクランプ具Ｃの分割体１１の上面との間に他方の端子５１ａを挿入することで、ソーラーパネルＰとクランプ具Ｃとが電気的に直接に接続されて、ソーラーパネルＰのアースが確実となる。
【００３９】
また、図１８（ａ）は、ソーラーパネル取付け具Ｅを用いる場合において、ボルト４３及びナット４４の部分と、クランプ具Ｃとをアース線５１で接続した構造であり、図１８（ｂ）は、ボルト４３及びナット４４の部分と、前記座金３９の部分とをアース線５１で接続した構造であり、いずれの構造においても、ソーラーパネルＰのアースが確実となる。
【００４０】
図１９は、建物の屋上に設置されたソーラーパネル装置の側面図であり、建物の屋上のコンクリートベース部６１に立設された前後の各支柱部材６２，６３に結合クランプ具６４を介して傾斜部材６５が連結されている。傾斜部材６５は、横方向に沿って所定間隔をおいて複数本配置され、各傾斜部材６５の上下端部及び中央部には、それぞれ横方向取付部材６６が連結クランプ具（図示せず）を介して一体に連結されている。
【００４１】
計３本の横方向取付部材６６のうち斜下端側の横方向取付部材６６には、上記したソーラーパネル取付装置Ａが連結され、斜上端側の横方向取付部材６６には、ソーラーパネル取付け具Ｅを斜方向に沿って反転させた形態でスライド許容体３５を介してクランプ具Ｃに連結されたソーラーパネル取付装置Ａ’が連結され、中央の横方向取付部材６６には、斜方向の両端部に挿入係止溝３２を備えたソーラーパネル取付け具Ｅ’を有するソーラーパネル取付装置Ａ”が連結されている。僅かに構成の異なる上記した３種類のソーラーパネル取付装置Ａ，Ａ’，Ａ”を介して複数本（上記例では３本）の横方向取付部材６６に対して傾斜方向Ｑ及び横方向Ｒに沿って、それぞれ複数枚のソーラーパネルＰが取付けられる。
【００４２】
傾斜方向に沿って斜下方側のソーラーパネルＰの取付構造は、上記と同一であるが、斜上方側のソーラーパネルＰの取付構造は、斜上端側のフランジ板部２１がボルト固定されて、斜下端側のフランジ板部２１が、ソーラーパネル取付け具Ｅ’の挿入係止溝３２に挿通係止されている点において、上記した取付構造とは、ソーラーパネルＰの斜上下側において互いに逆の構造となっている。なお、図１９において６７，６８は、防風板を示し、その上端部は、内側にコの字形に折り曲げられて、ソーラーパネル取付け具Ｅの挿入係止溝３２に挿入係止されている。
【符号の説明】
【００４３】
Ａ，Ａ',Ａ" ：ソーラーパネル取付装置
Ｃ：クランプ具
Ｅ，Ｅ' ：ソーラーパネル取付け具
Ｐ：ソーラーパネル
Ｑ：傾斜方向
Ｒ：横方向（傾斜方向と直交する水平方向）
Ｖ：架設台
θ：ソーラーパネルの傾斜角度
２１：ソーラーパネルのフランジ板部
２３：ソーラーパネルのフランジ板部のボルト孔
３２：ソーラーパネル取付け具の挿入係止溝（挿入係止部）
３３：ソーラーパネル取付け具のボルト孔
３５：スライド許容体
４３：ソーラーパネル取付け用のボルト
４４：ソーラーパネル取付け用のナット
５１：アース線
６６：横方向取付部材
９２：傾斜取付部材
【図１】
2016156236.tif 000003
【図２】
2016156236.tif 000004
【図３】
2016156236.tif 000005
【図４】
2016156236.tif 000006
【図５】
2016156236.tif 000007
【図６】
2016156236.tif 000008
【図７】
2016156236.tif 000009
【図８】
2016156236.tif 000010
【図９】
2016156236.tif 000011
【図１０】
2016156236.tif 000012
【図１１】
2016156236.tif 000013
【図１２】
2016156236.tif 000014
【図１３】
2016156236.tif 000015
【図１４】
2016156236.tif 000016
【図１５】
2016156236.tif 000017
【図１６】
2016156236.tif 000018
【図１７】
2016156236.tif 000019
【図１８】
2016156236.tif 000020
【図１９】
2016156236.tif 000021